(57)【特許請求の範囲】
【請求項１】
送風羽根の前方を覆う前ガードと後方側を覆う後ガードによりガードを構成し、前記前ガードの台輪に装着された合成樹脂製のリング体を、前記後ガードの台輪に嵌合し、前記リング体に設けられたクリップを後ガードに近づく方向に操作して前記後ガードの台輪に係止する扇風機において、
前記リング体のクリップ近傍に後方側に延設する把手部を設け、前記クリップを、前記リング体の内周面に形成された枢支凹部に回動自在に軸支される軸部と、該軸部からリング体の把手部後方に延設した延設部と、前記把手部の端部近傍でリング体の内径方向に屈曲してその端部が前記後ガードの近傍に位置する操作部とで構成し、
前記軸部は、前記枢支凹部と前記前ガードの台輪との間に回動自在に支持されるものであり、さらに、前記リング体の内周面には、後ガード側に突出して前記軸部の上部近傍に位置する突部を設け、該突部の前記軸部に対向する側を前ガード側に向かって下る傾斜面としたことを特徴とする扇風機。
【請求項２】
前記前ガードの台輪を、前記突部にて前記軸部より後ガード側に位置させると共に、前記軸部に近接させたことを特徴とする請求項１に記載の扇風機。
【請求項３】
前記把手部に、前記クリップの操作部から挿入して前記軸部を前記枢支凹部に枢支可能な開口穴を形成したことを特徴とする請求項１又は請求項２に記載の扇風機。
【発明の詳細な説明】
【０００１】
【発明の属する技術分野】
本発明は、ファンを囲繞するガードを着脱自在に装着可能な扇風機に関する。
【０００２】
【従来の技術】
従来この種の扇風機として、特開平４−２０３４９３号公報（Ｆ０４Ｄ２５／０８）に示されるものが知られている。この扇風機のガード取付装置は前ガードの台輪に装着されるリング体に、開口部を有する把手部を形成すると共に、開口部近傍に軸支部を形成し、この軸支部にクリップの軸部を軸支し、クリップに形成した屈曲部を開口部からリング体の内径方向（上方）に突出させ、この屈曲部に後ガードの台輪に係止する爪を形成すると共に、クリップの先端を把手部の下面に沿って後端から後方に突出させ、操作部を形成している。
【０００３】
そして、前記前ガードを取り外す際はクリップの端部の操作部に手を掛けて前記爪の後ガードの台輪への係止を解除して前ガードの後ガードへの固定状態を解除した後、リング体の把手部に手を掛けて前ガードを後ガードから離れる方に回動させ、取り外していた。
【０００４】
しかしながら、上述の如く操作部に手を掛けてクリップの爪を後ガードの台輪から外し、前ガードの後ガードへの固定状態を解除す動作と、把手部に手を掛けて前ガードを後ガードから取り外す動作とを別々に行わなければならず、作業性の悪いものであった。
【０００５】
また、クリップの操作を行う操作部は把手部に沿って把手部より後方に突出しているため、操作部と後ガードとの間の空間が大きくなり、誤って手等がクリップ近傍に当たった際に操作部に当たり易く、且つ、操作部の上方のどの方向から手等が当たっても、クリップが後ガードから離れる方向に容易に回動し、前ガードの後ガードへの固定状態が解除され易いものであった。
【０００６】
【発明が解決しようとする課題】
本発明は、前ガードを取り外す際の作業性を向上でき、誤って手等が当たってもクリップが外れにくい扇風機を提供することを課題とする。
【０００７】
【課題を解決するための手段】
上記課題を解決する第１の手段は、送風羽根の前方を覆う前ガードと後方側を覆う後ガードによりガードを構成し、前記前ガードの台輪に装着された合成樹脂製のリング体を、前記後ガードの台輪に嵌合し、前記リング体に設けられたクリップを後ガードに近づく方向に操作して前記後ガードの台輪に係止する扇風機において、前記リング体のクリップ近傍に後方側に延設する把手部を設け、前記クリップを、前記リング体の内周面に形成された枢支凹部に回動自在に軸支される軸部と、この軸部からリング体の把手部後方に延設した延設部と、前記把手部の端部近傍でリング体の内径方向に屈曲してその端部が前記後ガードの近傍に位置する操作部とで構成し、前記軸部は、前記枢支凹部と前記前ガードの台輪との間に回動自在に支持されるものであり、さらに、前記リング体の内周面には、後ガード側に突出して前記軸部の上部近傍に位置する突部を設け、該突部の前記軸部に対向する側を前ガード側に向かって下る傾斜面としたものである。
【００１１】
また、前記前ガードの台輪を、前記突部にて前記軸部より後ガード側に位置させると共に、前記軸部に近接させてもよい。
【００１２】
前記把手部に、前記クリップの操作部から挿入して前記軸部を前記枢支凹部に枢支可能な開口穴を形成することが望ましい。
【００１３】
【発明の実施の形態】
図１乃至図１０に本発明の扇風機における第１の実施の形態を示し、以下、これらの図に基づき説明する。
【００１４】
１は基台で、上部にネックピース２を俯仰角自在に支持している。このネックピース２には扇風機頭部３が支持されており、この扇風機頭部３に送風羽根４を駆動する送風機（図示せず）が内蔵されている。
【００１５】
この送風頭部３の前面には、送風羽根４の背面側を覆う後ガード５が取り付けられ、この後ガード５の前方側には、送風羽根４の前方側を覆う前ガード６が装着される。これら前ガード６と後ガード５でガード７を構成する。
【００１６】
８は合成樹脂製のリング体で、前縁から内径方向に形成したリブ９と内径方向に形成した複数の突条１０が形成されており、図５に示すようにこれらの間に前ガード６の台輪１１を係合し、図２に示すように前ガード６に一体化される。
【００１７】
このリング体８の上部には後縁から内径方向にフック１２が形成され、突条１０近傍にはリング体８の内径方向に係止リブ１３が形成されており、フック１２を後ガード５の上部に係止し、図３に示す突条１０と係止リブ１３との間に後ガード５の台輪１４を係止することでリング体８が装着された前ガード６を後ガード５に仮止め状態とすることができる。
【００１８】
１５はリング体８のフック１２と対向する周縁（下部）に、後縁から後方に向かって延設された把手部で、リング体８には把手部１５にわたって開口穴１６が形成されると共に、この開口穴１６に隣接して内周面側から凹む枢支凹部１７が形成されている。
【００１９】
１８は開口穴１６周縁の前ガード６側に設けられた突部で、後ガード５側に突出して後述する軸部２１の上部近傍に位置している。この突部１８の軸部２１に対向する面は前ガード６側に向かって下る傾斜面１９となっている。
【００２０】
２０はリング体８に装着される合成樹脂製のクリップで、図８に示すように枢支凹部１７に挿入される軸部２１と、この軸部２１から把手部１５に沿って把手部１５の後方側に延設された延設部２２と、この延設部２２上面からリング体８の内径方向に開口穴１６を介して突出する係止爪２３と、把手部１５の後端近傍で後ガード５側に屈曲される操作部２４から構成されている。このクリップ２０の係止爪２３を図５に示すように後ガード５の台輪１４に係止することで前ガード６が後ガード５に固定されるようになっている。
【００２１】
また、操作部２４の端部２４ａは後ガード５の近傍に位置する長さ（ここでは、図５中のＡ寸法が指が引っかけられる１．５センチ程度）に形成されており、操作部２４に指を引っかけて係止爪２３の係止状態を解除できるが、誤って手等がクリップ２０に当たった場合には操作部２４の端部２４ａに当たりにくくなっている。
【００２２】
上記構成のリング体８は、図９（ａ）に示すようにリング体８の開口穴１６にクリップ２０が操作部２４の端部２４ａから挿入され、図９（ｂ）に示すように反時計方向に回転され、軸部２１が突部１８の傾斜面１９に案内され図９（ｃ）に示すように斜め上方から枢支凹部１７に挿入される。これにより、軸部２１の枢支凹部１７への挿入時に突部１８の傾斜面１９により容易に挿入でき、挿入した後は突部１８により軸部２１が上方に抜けにくくなって仮止め状態となり、作業性が向上する。
【００２３】
そして、この状態で前ガード６がリング体８の後縁側から挿入され、前ガード６の台輪１１がリング体８のリブ９と突条１０との間に係合され、前ガード６とリング体８とが一体化される。この際に、前ガード６の台輪１１は突部１８に当接し、軸部２１の後方側に位置して軸部２１に当接しており、枢支凹部１７に挿入された軸部２１は枢支凹部１７と前ガード６の台輪１１との間に回動自在に支持される。
【００２４】
上述の如く、リング体８が一体化された前ガード６は後ガード５の上方にフック１２が引っかけられ、このフック１２側を回動中心として前ガード６を後ガード５に近づく方向に回動され、後ガード５の台輪１４に係止リブ１３を係止して仮止めされる。この状態で図６に示す状態からクリップ２０を後ガード５に近づく方向に回動させ、図５に示すように係止爪２３を後ガード５の台輪１４に係止することで前ガード６の後ガード５への固定が完了する。
【００２５】
このように組み立てられたガード７のクリップ２０に、誤って手等が当たる場合がある。
【００２６】
従来のグリップでは図５中の点線で示す操作部５１と後ガード５との間に大きな空間があり、操作部５１のＢ面に当たりやすく、且つ、このＢ面の上方のどの方向から当たってもグリップが後ガードから離れる方向に回動し、前ガード６の後ガード５への固定状態が解除されやすくなっている。
【００２７】
これに対し、上記クリップ２０は操作部２４の端部２４ａと後ガード５との空間は狭く、クリップ２０を容易に回転できる操作部２４の端部２４ａには従来のクリップの操作部５１に比べ手が当たりにくい。更に、斜め上方や横からは操作部２４の端部２４ａではなく操作部２４のＣ面（図５）に当たりやすく、クリップ２０は回転しにくい。従って、手等が当たっても前ガード６の後ガード５への固定状態が容易に解除されるのを防止できる。
【００２８】
次に、扇風機が転倒する等して前ガード６が撓み、前ガード６の台輪１１とリング体８との間に隙間が生じた場合について説明する。
【００２９】
図１０（ｂ）は、軸部２１の鉛直上方に軸部２１に近接して前ガードの台輪１１を設けた従来の構造において、軸部２１が前ガード６の台輪１１とリング体８の突条１０との間から抜けるまで前ガード６が撓んだ場合を示すもので、この図中のＤ寸法はこの際の前ガード６の台輪１１の撓み量を示すものであり、図１０（ａ）は第１の実施の形態において前ガード６の台輪１１が図１０（ｂ）の場合と同じＤ寸法だけ撓んだ場合を示すものである。
【００３０】
第１の実施の形態の場合は、前ガード６の台輪１１が軸部２１より後方側に位置し、軸部２１の上端ではなく、軸部２１の上端よりも下方で近接しているので、図１０（ｂ）の場合と同様に撓んでも、前ガード６の台輪１１とリング体８との間は図１０（ｂ）の場合に比べて狭く、倒れたときの衝撃力により図１０（ａ）に示すように軸部２１が移動し、軸部２１が前ガード６の台輪１１とリング体との間から外れようとしても、この間に支えるようになっている。これにより、従来のものに比べ前ガード６がより大きく撓まなければ軸部２１は外れず、軸部２１が外れるおそれを低減できる。また、軸部２１が移動する際に図１０（ｂ）に示すように枢支凹部１７からそのまま上方へ抜けるのではなく、突部１８の傾斜面１９に当たるため、より抜けにくくなっている。
【００３１】
ところで、送風羽根４を掃除したり扇風機を分解して梱包装置に梱包したりしようとして前ガード６を後ガード５から取り外す場合には、操作部２４の端部２４ａと後ガード５との間に指を挿入し、操作部２４の端部２４ａに指を引っかけてクリップ２０を後ガード５から離れる方向に回動させ、係止爪２３の係止状態を解除して前ガード６の後ガード５への固定状態を解除する。更にそのまま同方向にクリップ２０を回動させると操作部２４の端部２４ａが把手部１５の後端１５ａ近傍を通って指先が把手部１５に引っかかり、この動作により前ガード６を後ガード５から離れる方向に回動できる。最後に、フック１２の後ガード５への係止を外して前ガード６が後ガード５から取り外される。
【００３２】
このように、クリップ２０を回動させて前ガードの後ガードへの固定状態を解除する動作と、把手部１５に手を掛けて前ガード６を後ガード５から取り外す動作とを一連の動作で行うことができ、操作性を向上できる。
【００３３】
図１１及び図１２に本発明の第２の実施の形態を示し、これらの図に基づき説明する。尚、第１の実施の形態とはクリップ２０の係止爪２３の形状が異なるのみでその他は同じであり、同一部品は同一符号を符して説明を省略する。
【００３４】
図１１中のＸは後ガード５の台輪１４の鉛直方向の中心線である。係止爪３１の先端３１ａは、後ガード５の台輪１４に係止爪３１を係止した状態で、上記第１の実施の形態では中心線Ｘよりも前ガード６側に突出しているのに対し、前記中心線Ｘより前ガード６側に出ないように（ここでは中心線Ｘ上に位置している）形成している。
【００３５】
このように形成することで、クリップ２０を後ガード５側に回動させて係止爪３１を後ガード５の台輪１４に係止する際に、上記第１の実施の形態では図１２（ｂ）に示すように係止爪２３の先端２３ａが後ガード５の台輪１４の下方に当たるのに対し、第２の実施の形態では図１２（ａ）に示すように係止爪３１の先端３１ａが第１の実施の形態より後ガード５の台輪１４の上方側で当たるので、係止する際に必要な力が弱くてすみ容易に係止することができ、操作性を向上できる。
【００３６】
【発明の効果】
本発明の請求項１によれば、前ガードの後ガードへの固定状態を解除する動作と、把手部に手を掛けて前ガードを後ガードから取り外す動作を、別々の動作で行うのではなく、クリップの操作部を後ガードから離れる方向に回動させる際の一連の動作により行うことができ、作業性を向上できる。また、操作性を損なうことなく、操作部が誤って操作されるおそれを低減できる。
【００３８】
また、軸部を枢支凹部に容易に挿入でき、作業性を向上できると共に、前ガードの台輪を利用して軸部が抜けるのを防止でき、軸部を確実に保持できる。さらに、突部の傾斜により容易に枢支凹部に挿入できると共に、上方に抜けにくくして仮止め状態とすることができ、作業性を向上できる。
【００４０】
本発明の請求項２によれば、転倒する等して前ガードが撓んだ場合に、前ガードの台輪がより大きく移動しなければ軸部が外れないので、クリップの軸部を枢支凹部と前ガードの台輪間から外れにくくすることができる。
【００４１】
本発明の請求項３によれば、開口穴へ操作部から挿入して軸部を枢支凹部に挿入することで、クリップを容易にリング体に取り付けることができ、取付作業性を向上できる。
【図面の簡単な説明】
【図１】本発明の第１の実施の形態を示す扇風機の前ガードを取り外した状態での斜視図である。
【図２】同扇風機のリング体を装着した前ガードの斜視図である。
【図３】同扇風機のリング体の側面断面図である。
【図４】図３におけるクリップ近傍の斜視図である。
【図５】同扇風機のクリップを係止した状態でのクリップ近傍の断面図である。
【図６】図５におけるクリップの係止状態を解除した状態の断面図である。
【図７】図２においてクリップを取り外した状態での把手部近傍の斜視図である。
【図８】同扇風機のクリップの斜視図である。
【図９】同扇風機のクリップをリング体に装着する場合の説明図である。
【図１０】図５において前ガードが撓んだ場合と従来の扇風機において前ガードが撓んだ場合とを対比した軸部近傍の断面図である。
【図１１】本発明の第２の実施の形態の扇風機を示すクリップ近傍の側面断面図である。
【図１２】同扇風機のクリップを係止する場合と第１の実施の形態のクリップを係止する場合とを対比したクリップ近傍の側面断面図である。
【符号の説明】
２              送風羽根
５              後ガード
６              前ガード
７              ガード
８              リング体
１１              前ガードの台輪
１４              後ガードの台輪
１５              把手部
１６              開口穴
１７              枢支凹部
１８              突部
１９              突部の傾斜面
２０              クリップ
２１              軸部
２２              延設部
２４              操作部
【図１】
0004488609.tif 000002
【図２】
0004488609.tif 000003
【図３】
0004488609.tif 000004
【図４】
0004488609.tif 000005
【図５】
0004488609.tif 000006
【図６】
0004488609.tif 000007
【図７】
0004488609.tif 000008
【図８】
0004488609.tif 000009
【図９】
0004488609.tif 000010
【図１０】
0004488609.tif 000011
【図１１】
0004488609.tif 000012
【図１２】
0004488609.tif 000013